(57)【要約】【課題】文書として登録する必要がないようなサイズが小さな画像を文書として登録しないようにすることができ、記憶領域を無駄にすることなく、文書として管理されているファイルの効率的な検索が可能となる。【解決手段】文書管理装置１は、ファイルを文書として管理するものであり、内容が更新されたファイルまたは新たに追加されたファイルを検出し、検出したファイルのうち画像データのファイルについては、サイズが所定のサイズ以上であるか否かを判断し、この判断によりサイズが所定のサイズよりも小さい画像データのファイルを文書として管理しないように登録対象外とし、サイズが所定のサイズ以上であると判断された画像データのファイルを文書として管理するために登録する。【選択図】図１
2006252510.tif 000002
【特許請求の範囲】
【請求項１】
ファイルを文書として管理する文書管理手段と、
画像データのファイルであるか否かを判断する第１の判断手段と、
この第１の判断手段により画像データであると判断されたファイルのうち画像データのサイズが所定のサイズよりも小さいファイルを登録対象外であると判断する第２の判断手段と、
前記第２の判断手段により登録対象外であると判断されたファイルを登録対象外とし、前記第１の判断手段により画像データのファイルでないと判断されたファイル及び前記第２の判断手段によりサイズが所定のサイズ以上であると判断された画像データのファイルを前記文書管理手段による管理対象の文書として登録する登録手段と、
を有することを特徴とする文書管理装置。
【請求項２】
さらに、更新されているファイルを検出する検出手段を有し、
前記第１の判断手段は、前記検出手段により検出したファイルが画像データのファイルであるか否かを判断する機能をさらに有する、
ことを特徴とする前記請求項１に記載の文書管理装置。
【請求項３】
前記第２の判断手段は、前記第１の判断手段により画像データであると判断されたファイルのうち画像データの表示サイズが所定のサイズよりも小さいファイルを登録対象外であると判断する、
ことを特徴とする前記請求項１に記載の文書管理装置。
【請求項４】
前記第２の判断手段は、前記第１の判断手段により画像データであると判断されたファイルのうち画像データの表示サイズとしての縦方向の表示サイズあるいは横方向の表示サイズが、所定の縦方向の表示サイズあるいは所定の横方向の表示サイズよりも小さいファイルを登録対象外であると判断する、
ことを特徴とする前記請求項１に記載の文書管理装置。
【請求項５】
前記第２の判断手段は、前記第１の判断手段により画像データであると判断されたファイルのうち画像データの表示サイズの面積が所定の面積よりも小さいファイルを登録対象外であると判断する、
ことを特徴とする前記請求項１に記載の文書管理装置。
【請求項６】
前記第２の判断手段は、前記第１の判断手段により画像データであると判断されたファイルのうち画像データの縦方向の表示サイズと横方向の表示サイズとの比率が所定の範囲外であるファイルを登録対象外であると判断する、
ことを特徴とする前記請求項１に記載の文書管理装置。
【請求項７】
前記第２の判断手段は、前記第１の判断手段により画像データであると判断されたファイルのうち画像データの表示サイズが視認不可能なサイズよりも小さいファイルを登録対象外であると判断する、
ことを特徴とする前記請求項１に記載の文書管理装置。
【請求項８】
コンピュータに、
ファイルを文書として管理させる文書管理機能と、
更新されているファイルを検出させる検出機能と、
この検出機能により検出したファイルが画像データのファイルであるか否かを判断させる第１の判断機能と、
この第１の判断機能により画像データであると判断されたファイルのうち画像データのサイズが所定のサイズよりも小さいファイルを登録対象外であると判断させる第２の判断機能と、
前記第２の判断機能により登録対象外であると判断されたファイルを登録対象外とし、前記第１の判断機能により画像データのファイルでないと判断されたファイル及び前記第２の判断機能によりサイズが所定のサイズ以上であると判断された画像データのファイルを前記文書管理機能による管理対象の文書として登録させる登録機能と、
を実現させるための文書管理プログラム。
【請求項９】
ファイルを文書として管理することと、
更新されているファイルを検出することと、
検出したファイルが画像データのファイルであるか否かを判断することと、
画像データであると判断されたファイルのうち画像データのサイズが所定のサイズよりも小さいファイルを登録対象外であると判断することと、
登録対象外であると判断されたファイルを登録対象外とし、画像データのファイルでないと判断されたファイル及びサイズが所定のサイズ以上であると判断された画像データのファイルを管理対象の文書として登録すること、
ことを特徴とする文書管理方法。
【発明の詳細な説明】
【技術分野】
【０００１】
この発明は、コンピュータなどの情報処理装置を用いて画像データなどのファイルを文書として管理する文書管理装置、文書管理プログラムおよび文書管理方法に関する。
【背景技術】
【０００２】
従来、文書管理装置では、管理している複数の文書からユーザが所望の文書を検索するために、管理している文書の画像などを表示するものがある。このような文書管理装置では、管理している文書の状態を 示す情報、あるいは、ユーザの操作により選択されている文書を示す情報などを表示装置に表示する。これにより、ユーザは、表示装置に表示された文書を示す情報に基づいて所望の文書を検索するようになっている。また、このような文書管理装置では、外部から取得したファイル、あるいは、アプリケーションプログラムにより作成したファイルを文書として管理している。
【０００３】
しかしながら、従来の文書管理装置は、文書として管理する必要がないファイルであっても文書として登録されるるようになっている。このように、文書として管理する必要がないファイルも文書として登録すると、無駄に記憶領域を消費してしまうという問題点がある。また、文書として管理する必要がないファイルも文書として登録されていると、ユーザが文書を検索する場合に文書の検索効率を低下させる要因となるという問題点がある。
【特許文献１】特開平５−５４０８１号公報
【発明の開示】
【発明が解決しようとする課題】
【０００４】
この発明の一形態では、記憶領域を無駄にすることなく、文書として管理されているファイルの効率的な検索が可能となる文書管理装置、文書管理プログラムおよび文書管理方法を提供することを目的とする。
【課題を解決するための手段】
【０００５】
この発明の一形態としての文書管理装置は、ファイルを文書として管理する文書管理手段と、画像データのファイルであるか否かを判断する第１の判断手段と、この第１の判断手段により画像データであると判断されたファイルのうち画像データのサイズが所定のサイズよりも小さいファイルを登録対象外であると判断する第２の判断手段と、前記第２の判断手段により登録対象外であると判断されたファイルを登録対象外とし、前記第１の判断手段により画像データのファイルでないと判断されたファイル及び前記第２の判断手段によりサイズが所定のサイズ以上であると判断された画像データの更新ファイルを前記文書管理手段による管理対象の文書として登録する登録手段とを有する。
【発明の効果】
【０００６】
この発明の一形態によれば、記憶領域を無駄にすることなく、文書として管理されているファイルの効率的な検索が可能となる文書管理装置、文書管理プログラムおよび文書管理方法を提供できる。
【発明を実施するための最良の形態】
【０００７】
この発明の実施の形態について図面を参照しながら詳細に説明する。
【０００８】
図１は、この発明の文書管理装置の実施の形態に係る文書管理装置１の構成例を概略的に示すブロック図である。
【０００９】
上記文書管理装置１は、文書索装置として機能し、文書入出力装置２に接続されたＰＣ等により構成される。また、上記文書入出力装置２は、ＰＣとしての文書管理装置１へ画像を提供するものであれば良い。たとえば、文書入出力装置２としては、スキャナ、スキャナを具備するデジタル複合機（ＭＦＰ）、デジタルカメラ、ネットワーク上のコンピュータ（例えば、ネットワークディスクやＷＷＷサーバ）などが想定される。
【００１０】
図１に示すように、文書管理装置１は、ＣＰＵ１１、ＲＡＭ１２、ＲＯＭ１３、入出力インターフェース（Ｉ／Ｆ）１４、ハードディスクドライブ（ＨＤＤ）１５、表示器ドライバ１６、表示器１７、マウスドライバ１８、マウス１９、キーボードインターフェース（Ｉ／Ｆ）２０及びキーボード２１などにより構成されている。
【００１１】
上記ＣＰＵ１１は、文書管理装置１全体の制御を司るものである。また、上記ＣＰＵ１１は、上記ＲＯＭ１３に記憶されている制御プログラムや上記ＨＤＤ１５に記憶されているアプリケーションプログラムを実行することにより様々な機能を実現している。上記ＲＡＭ１２は、作業用のデータなどを一時的に格納するメモリである。上記ＲＯＭ１３は、当該文書管理装置（ＰＣ）１が動作するための基本的な制御プログラムなどが予め記憶されている不揮発性のメモリである。
【００１２】
上記入出力インターフェース１４は、外部装置から画像などのデータを入力するためのインターフェースである。図１に示す構成例では、上記入出力インターフェース１４は、文書入出力装置２から画像を取得するためのインターフェースとして機能する。なお、図１では、１つの入出力インターフェース１４を図示しているが、上記文書管理装置１は、複数の入出力インターフェース１４が設けられる構成であっても良い。
【００１３】
上記ＨＤＤ１５は、磁気ディスクなどにより構成された記憶装置である。上記ＨＤＤ１５には、各種のデータがファイル形式で記憶される。つまり、当該文書管理装置１が管理対象とする文書を構成するデータは、ファイルとして上記ＨＤＤ１５に記憶される。
【００１４】
また、上記ＨＤＤ１５には、データテーブルとしての第１のファイル管理テーブル２３、第２のファイル管理テーブル２４、文書管理テーブル２５、色管理テーブル２６などが設けられている。
【００１５】
上記第１のファイル管理テーブル２３および第２のファイル管理テーブル２４は、管理対象となる文書を構成するデータのファイルに関する管理情報（ファイル管理情報）を記憶するテーブルである。上記文書管理テーブル２５は、管理対象となる文書に関する管理情報（文書管理情報）を記憶するテーブルである。上記色管理テーブル２６は、管理対象となる文書に関連づけられる色に関する情報（色管理情報）を記憶するテーブルである。なお、各データテーブル２３〜２６については、後で詳細に説明する。
【００１６】
また、上記ＨＤＤ１５には、少なくとも、ＰＣを文書管理装置１として機能させるためのアプリケーションプログラム（文書管理プログラム）２７、および、設定情報２８が記憶されている。
【００１７】
上記文書管理プログラム２７は、後述する、文書管理情報の登録処理（ファイル選別処理、文書管理テーブルの更新処理）、イメージ生成処理、文書検索画面の表示処理、文書マップ生成処理、文書検索処理などの各種の処理をＰＣに実行させるためのプログラムにより構成される。すなわち、上記文書管理用プログラム２７を実行することにより、ＰＣは、文書管理情報を登録する機能（ファイル選別機能、文書管理テーブルの更新機能）、イメージを生成する機能、文書検索画面を表示する機能、文書マップ（検索用バー）を生成する機能、および、文書検索を行う機能などの各種の機能を実現する。
【００１８】
上記設定情報２８としては、種々の設定情報が記憶される。たとえば、上記設定情報２８としては、後述するファイル選別処理において、文書として登録すべき画像データのファイルを選別するための基準値が記憶される。
【００１９】
上記表示器ドライバ１６は、上記表示器１７の表示内容を制御する駆動回路などにより構成される。上記表示器ドライバ１６は、上記表示器１７に表示する画像の信号を表示器１７へ出力するインターフェースとして機能する。上記マウスドライバ１８は、マウス１９に入力された情報を検知する回路などにより構成される。上記マウスドライバ１８では、マウス１９の動き、マウス１９に設けられたボタンへの入力、あるいは、マウス１９に設けられたホイールの回転量などを検知する。上記マウスドライバ１８は、マウス１９の動き、マウス１９のボタンへの入力、あるいは、マウス１９のホイールの回転量などを示す信号をＣＰＵ１１へ通知するようになっている。
【００２０】
上記キーボードインターフェース２０は、キーボード２１に入力された情報を検知し、上記ＣＰＵ１１へ通知するものである。上記キーボード２１は、文字、数字あるいは記号などの複数のキーにより構成される。上記キーボード２１の各キーへの入力は、上記キーボードインターフェース２０により検知され、入力されたキーを示す信号としてＣＰＵ１１に通知されるようになっている。
【００２１】
図２は、上記マウス１９の構成例を示す図である。
【００２２】
上記マウス１９は、図２に示すように、動作検知機構３１、右ボタン３２、左ボタン３３、ホイール３４などを有している。上記マウス１９は、図２に示す状態で平面上に置かれた状態で操作される。図２に示す状態のマウス１９は、ユーザの手で保持される。ユーザは、平面上で図２に示す状態のマウス１９を動かし、必要に応じて上記右ボタン３２、左ボタン３３及びホイール３４を操作する。
【００２３】
上記動作検知機構３１は、平面上におけるマウス１９の動きを信号に変換するための機構である。たとえば、上記動作検知機構３１は、マウス１９の動きに応じて回転する球体とその球体の動きを信号に変換する機構により構成される。また、上記動作検知機構３１は、平面上におけるマウス１９の動きを検知する光学センサと光学センサにより検知したマウス１９の動きを信号に変換する機構などにより構成されるものであっても良い。上記動作検知機構３１は、図２に示す状態で平面に接する側に設けられる。すなわち、ユーザが図２に示す状態で保持したマウス１９を動かすと、上記動作検知機構３１は、平面上におけるマウス１９の動きを検知する。また、上記動作検知機構３１が検知したマウスの動きを示す信号は、上記マウスドライバ１８へ出力される。
【００２４】
上記右ボタン３２は、図２に示す状態においてマウス１９本体の右側に設けられたボタンである。この右ボタン３２は、たとえば、図２に示す状態のマウス１９本体をユーザが右手で保持した場合、ユーザの人差し指や中指などで操作されるボタンである。上記左ボタン３３は、図２に示す状態においてマウス１９本体の左側に設けられたボタンである。この左ボタン３３は、たとえば、図２に示す状態のマウス１９本体をユーザが右手で保持した場合、ユーザの中指あるいは薬指などで操作されるボタンである。  
上記ホイール３４は、図２に示す状態においてマウス１９中央部付近に設けられた回転部材である。図２に示す例では、ホイール３４は、右ボタン３２と左ボタンとの間に設けられている。たとえば、上記ホイール３４は、図２に示す状態のマウス１９本体を保持したユーザの人差し指、中指あるいは薬指などで操作される。  
また、上記ホイール３４は、一定方向にのみ回転するように設置されている。図２に示す例では、上記ホイール３４は、手前から奥への方向（図２の下から上への方向）とその逆の方向（図２の下から上への方向）に回転する。以下の説明では、上記ホイール３４の回転方向については、手前から奥（図２の下から上）への回転方向を正方向とし、その奥から手前（図２の下から上）への回転方向を逆方向として説明を行うものとする。
【００２５】
また、上記ホイール３４は、ボタンとしても機能するようにしても良い。この場合、上記ホイール３４は、ホイール３４自体を押下げることにより特定の入力が行われるようになっている。さらには、上記ホイール３４を右あるいは左に押し倒すことにより特定の入力できるようにしても良い。
【００２６】
次に、上記文書管理装置１により管理される文書の表示画面（文書検索画面）について説明する。
【００２７】
図３は、上記文書管理装置１の表示器１７に表示した文書検索画面（文書の表示画面）４０の表示例を示す図である。
【００２８】
上記文書管理装置１では、上記表示器１７に表示した表示ウインドウに文書検索画面４０を表示する。この文書検索画面４０では、図３に示すように、ユーザによる操作に応じて、当該文書管理装置１が管理している文書を構成する各ページの画像をページ単位で表示する。図３に示すような文書検索画面４０に表示される画像を参照することにより、ユーザは、所望の文書を検索するようになっている。
【００２９】
図３に示す表示例において、上記文書検索画面４０には、各種の操作キーなどからなるツールバーの他、画像表示領域４１、文書マップ（検索用バー）４２、ポインタ（矢印）４３などが表示される。
【００３０】
上記画像表示領域４１は、上記表示器１７に表示される文書検索画面４０としての表示ウインドウの略中央の領域である。上記画像表示領域４１には、ユーザが操作に応じて文書を構成する１または複数ページの画像がページ単位で表示される。
【００３１】
上記文書マップ４２は、上記文書検索画面４０の右端の領域に表示される。上記文書マップ４２では、当該文書管理装置１で管理している各文書を示すバー（線）を時系列順に積み重ねて表示している。これは、当該文書管理装置１で管理している各文書が積み重なった状態を示している。図３に示す文書マップ４２では、最上部のバーが最新の文書時刻を有する文書（最も新しい文書）を示し、最下部のバーが最古の文書時刻を有する文書（最も古い文書）を示している。つまり、図３に示す文書マップ４２において、積み重ねられている各バーは、上側であればあるほど、新しい文書を示しており、下側であればあるほど、古い文書を示している。
【００３２】
上記ポインタ４３は、上記文書検索画面４０において上記文書マップ４２に隣接する領域に表示される。上記ポインタ４３では、上記画像表示領域４１に表示している画像が属する文書を示すバーの文書マップ４２上における位置を示している。つまり、上記ポインタ４３は、文書マップ４２上における表示中の文書を示すバーの位置を示している。
【００３３】
また、上記文書マップ４２において、各文書に対応する各バーは、各文書に対応づけられている色により表示される。上記文書マップ４２に表示される各文書に対応する各バーの色は、例えば、文書を構成するデータのファイルが保存されているフォルダごとに設定される。この場合、同一フォルダにデータが保存されている文書は、同じ色で表示され、異なるフォルダにデータが保存されている文書は、異なる色で表示される。これにより、ユーザは、上記文書マップ４２に表示されている色によって、各文書が保存されているフォルダを直感的に認識することができる。なお、上記文書マップ４２に表示される各文書に対応するバーの色は、文書としてのファイルの拡張子あるいは文書を開くためのアプリケーションごとに設定するようにしても良い。
【００３４】
次に、上記文書検索画面４０の画像表示領域４１に表示する画像の切り替えについて説明する。
【００３５】
図４は、上記文書管理装置１で管理する文書と上記画像表示領域４１に表示する画像との関係を示す図である。
【００３６】
上記文書管理装置１で管理する各文書は、図４に示すように、１ページあるいは複数のページからなっている。また、図３に示すような文書検索画面４０の画像表示領域４１に表示する画像は、上記マウス１９あるいはキーボード２１への入力に応じて切り替えられるようになっている。上記画像表示領域４１に表示する画像の切換としては、文書の切り換えとページの切り換えとがある。
【００３７】
上記文書管理装置１では、図４に示すように、複数の文書を文書の作成時刻あるいは更新時刻などの文書時刻に基づいて時系列順に管理する。このような各文書の順序は、上記文書マップ４２に積み重ねて表示する各文書に対応するバーの表示順にも反映される。従って、上記文書マップ４２には、図３に示すように、各文書に対応するバーが時系列順に積み重ねて表示される。
【００３８】
さらに、上記文書管理装置１では、図４に示すように、各文書における複数のページをページ順に管理する。
【００３９】
上記文書管理装置１では、マウス１９あるいはキーボード２１への縦方向（図３の上下方向）の操作に応じて、上記文書検索画面４０において表示する文書を切り換える。また、上記文書管理装置１では、マウス１９あるいはキーボード２１への横方向（図３の左右方向）の操作に応じて、上記文書検索画面４０において表示するページを切り換える。
【００４０】
すなわち、ユーザがマウス１９やキーボード２１などにより縦方向の操作を行った場合、上記文書管理装置１は、上記文書検索画面４０の画像表示領域４１に表示する文書を切り換える。この結果、上記文書検索画面４０の画像表示領域４１には、ユーザによる縦方向の操作に応じて切り換えた文書の代表画像（例えば、当該文書の１ページ目の画像）が表示される。また、ユーザがマウス１９やキーボード２１などにより横方向の操作を行った場合、上記文書管理装置１は、上記文書検索画面４０の画像表示領域４１に表示するページを切り換える。この結果、上記文書検索画面４０の画像表示領域４１には、ユーザによる横方向の操作に応じて切り換えられたページの画像が表示される。
【００４１】
まず、上記文書検索画面４０の画像表示領域４１に表示する画像を文書単位で切り換える場合について説明する。
【００４２】
文書の切り替えは、ユーザがマウス１９あるいはキーボード２１などの入力デバイスにより文書の切り換えを指示することにより行われる。ここでは、上述したように、上記画像表示領域４１に表示する画像としての文書は、縦方向（上下方向）の操作に応じて切り換えられるものとする。たとえば、キーボード２１の上下のカーソルキー（上キー及び下キー）への入力、あるいは、マウス１９などのポインティングデバイスによる縦方向の操作に応じて、文書が切り換えられる。また、本実施の形態では、縦方向の操作として前後方向に回転するマウス１９のホイール３４の回転量に応じて、文書を切り換えるものについて説明する。マウス１９のホイール３４による文書に切り替え処理については後で詳細に説明する。
【００４３】
上記のような操作によって文書が切り換えられた場合、上記文書検索画面４０の画像表示領域４１には、当該文書の代表画像としての１ページ目の画像が表示される。つまり、マウス１９あるいはキーボード２１などにより文書を切り換えられるごとに、上記画像表示領域４１には、各文書の１ページ目の画像が順次表示される。なお、各文書の代表画像は、当該文書の各ページから特定のページを代表画像として設定するようにしても良い。
【００４４】
すなわち、上記画像表示領域４１に表示する文書の代表画像（１ページ目の画像）を切り換える場合、ユーザは、マウス１９あるいはキーボード２１などの入力デバイスにより文書の切り換えを指示する。すると、上記文書管理装置１は、上記画像表示領域４１に表示する文書のページ目の画像を各文書の時系列順に順次切り換える。
【００４５】
次に、上記文書検索画面４０の画像表示領域４１に表示する画像をページ単位で切り換える場合について説明する。
【００４６】
ページの切り替えは、ユーザがマウス１９あるいはキーボード２１などの入力デバイスによりページの切り換えを指示することにより行われる。ここでは、上述したように、上記画像表示領域４１に表示する画像としてのページは、横方向の操作に応じて切り換えられるものとする。たとえば、キーボードの左右カーソルキー（右キー及び左キー）への入力などに応じてページが切り替えられる。
【００４７】
上記のような操作によってページが切り換えられるごとに、上記文書検索画面４０の画像表示領域４１には、表示中の文書を構成する各ページの画像が順次表示される。すなわち、特定の文書における特定のページを上記画像表示領域４１に表示させる場合、ユーザは、まず、上述した文書の切り換えによって上記画像表示領域４１に所望の文書の１ページの画像を表示させる。このような表示状態において、当該ユーザは、マウス１９あるいはキーボード２１などによりページの切り換えを指示する。すると、上記文書管理装置１は、表示中の文書を構成する各ページの画像をページ順に上記画像表示領域４１に順次表示する。
【００４８】
次に、上記のように構成される文書管理装置１において文書を管理するための各種のデータテーブル２３〜２６について説明する。
【００４９】
上記文書管理装置１では、管理対象の各文書を構成するデータがファイルとして上記ＨＤＤ１５などに記憶される。上記ＨＤＤ１５に記憶された文書を構成するデータのファイルは、上記第１のファイル管理テーブル２３及び第２のファイル管理テーブル２４により管理される。また、上記ＨＤＤ１５に記憶されたファイルに対応する文書は、上記文書管理テーブル２５により管理される。また、上記文書検索画面４０の文書マップ４２において各文書を示すバーの色については、上記色管理テーブル２６により管理される。
【００５０】
まず、上記第１のファイル管理テーブル２３及び第２のファイル管理テーブル２４について説明する。
【００５１】
図５は、上記第１のファイル管理テーブル２３の構成例を示す図である。また、図６は、上記第２のファイル管理テーブル２４の構成例を示す図である。
【００５２】
上記第１のファイル管理テーブル２３および第２のファイル管理テーブル２４は、文書管理装置１により管理する各文書としての各ファイルに関する管理情報を記憶するテーブルである。
【００５３】
図５及び図６に示すように、上記第１のファイル管理テーブル２３および第２のファイル管理テーブル２４では、各ファイルの管理情報として、パス、サイズ、作成時刻、更新時刻、アクセス時刻などを格納するように構成されている。
【００５４】
上記パスとしては、当該ファイルが存在するドライブ名及びフォルダ名を示す情報とともに、当該ファイルのファイル名を示す情報が記憶される。上記サイズとしては、当該ファイルのデータサイズを記憶される。上記作成時刻としては、当該ファイルを作成した日時が記憶される。上記更新時刻としては、当該ファイルを更新した日時が記憶される。上記アクセス時刻としては、当該ファイルに最も最近アクセスした日時が記憶される。
【００５５】
また、上記第１のファイル管理テーブル２３では、過去の時点における各ファイルの管理情報が記憶されている。ここで、過去の時点とは、たとえば、前回、当該文書管理装置１を起動させた時点である。これに対して、上記第２のファイル管理テーブル２４では、現在のファイルの一覧を示している。従って、上記第２のファイル管理テーブル２４は、ファイルの更新および追加に応じて随時更新される。
【００５６】
たとえば、当該文書管理装置１が起動する際、その時点での第２のファイル管理テーブル２４の情報が第１のファイル管理テーブルとして保存され、新たな第２のファイル管理テーブル２４が作成（更新）される。この第２のファイル管理テーブル２４には、新たに追加されたファイルおよび更新されたファイルに関する管理情報が記憶される。言い換えると、前回の起動時のファイルと今回の起動時のファイルとの差異は、上記第１のファイル管理テーブル２３と上記第２のファイル管理テーブル２４との差分として現れる。本実施の形態では、ファイルの更新状況（新規登録あるいは更新）は、上記第１のファイル管理テーブル２３と上記第２のファイル管理テーブル２４との差分により判断するようになっている。
【００５７】
ここで、ファイルの新規登録の例として、上記文書管理装置１が上記入出力インターフェース１４を介して複数ページの画像からなる文書を取得した場合を想定する。この場合、上記入出力インターフェース１４を介して取得した文書のデータは、新規登録のファイルとして上記ＨＤＤ１５に記憶される。この際、上記第２のファイル管理テーブル２４には、当該ファイルに関する管理情報を格納するフィールドが追加され、新規登録のファイルの管理情報として、パス、サイズ、作成時刻、更新時刻、アクセス時刻などが記憶される。なお、この場合、上記第１のファイル管理テーブル２３の情報は、変更されずに保持される。
【００５８】
また、ファイルの更新の例として、上記第２のファイル管理テーブル２４に管理情報が存在するファイルを更新した場合を想定する。この場合、更新されたファイルは、上記ＨＤＤ１５内の既存のファイルに上書き保存される。この際、上記第２のファイル管理テーブル２４における当該ファイルの管理情報は、サイズ、更新時刻、アクセス時刻などの情報が更新したファイルに基づいて書き換えられる。なお、この場合も、上記第１のファイル管理テーブル２３の情報は、変更されずに保持される。
【００５９】
次に、上記文書管理テーブル２５について説明する。
【００６０】
図７、図８及び図９は、文書管理テーブル２５の構成例を示す図である。
【００６１】
文書管理テーブル２５は、上記第１ファイル管理テーブル２３により管理されるファイルを文書として管理するためのテーブルである。なお、上記文書管理テーブル２５は、文書の管理情報を管理する文書管理手段である。また、上記文書管理プログラム２７は、上記文書管理テーブル２５を用いてコンピュータに文書管理機能を実現させている。
【００６２】
図７、図８及び図９に示すように、上記文書管理テーブル２５では、文書に関する管理情報として、順序、文書ＩＤ、状態、ページ数、文書時刻、ファイル名、色ＩＤなどが記憶されている。
【００６３】
上記順序としては、各文書の表示順位を示す情報が記憶される。上述のように、各文書は、図３に示すような文書検索画面４０において、文書時刻に基づく時系列順に表示される。従って、上記文書管理テーブル２５では、文書時刻が新しい順に各文書の順序を管理する。
【００６４】
上記文書ＩＤとしては、各文書を識別するための各文書に与えられたユニークなＩＤ情報が記憶される。
【００６５】
上記状態としては、各文書の処理状態を示す情報が記憶される。たとえば、上記状態としては、「更新」状態であることを示す情報、あるいは、「完了」状態であることを示す情報が記憶される。「完了」は、当該文書の更新（更新あるいは新規登録）が完了している状態であることを示す。「更新」は、当該文書が更新（更新あるいは新規登録）待ちの状態であることを示す。
【００６６】
上記ページ数としては、当該文書のページ数を示す情報が記憶される。上記ページ数は、当該文書の状態が「完了」となった際に確定される。
【００６７】
上記文書時刻としては、各文書の作成時刻あるいは更新時刻が記憶される。たとえば、上記文書時刻としては、上記第１のファイル管理テーブル２３において管理されている当該文書に対応するファイルの更新時刻が記憶される。
【００６８】
上記ファイル名としては、当該文書に対応するファイルを示す情報が記憶される。たとえば、上記ファイル名としては、各文書に対応するファイルについての、ドライブ名、フォルダ名及びファイル名が記憶される。
【００６９】
上記色ＩＤとしては、各文書を示す情報を表示するための色を示す情報が記憶される。また、上記色ＩＤとは、色を識別するための各色に与えられたユニークなＩＤ情報である。なお、上記色ＩＤに対応する実際の色を示す情報は、上記色管理テーブル２６により示される。
【００７０】
また、上記文書管理テーブル２５は、後述する文書管理情報の登録処理により更新される。たとえば、図７に示す文書管理テーブル２５では、９つの文書が管理されている。この状態において、文書ＩＤ「１００８」の文書が更新され、文書ＩＤ「１０１０」の文書と文書ＩＤ「１０１１」の文書とが新たに追加されたものとする。この場合、後述する文書管理情報の登録処理では、図７に示す文書管理テーブル２５には、状態を「更新」と設定した３つの文書（文書ＩＤ「１００８」、文書ＩＤ「１０１０」および文書ＩＤ「１０１１」）が登録される。この場合、図８に示すような文書管理テーブル２５が作成される。
【００７１】
また、図８に示す文書管理テーブル２５では、文書ＩＤ「１００８」、文書ＩＤ「１０１０」、文書ＩＤ「１０１１」の３つの文書の状態が「更新」として記憶されている。図８に示すように、上記文書管理テーブル２５において状態が「更新」と設定されている文書については、順次、後述するイメージ生成処理が行われる。つまり、イメージ生成処理による処理が完了した文書は、状態が「完了」に書換られる。従って、文書ＩＤ「１００８」、文書ＩＤ「１０１０」、文書ＩＤ「１０１１」の３つの文書のイメージ生成処理が完了すると、図８に示す文書管理テーブル２５は、図９に示す文書管理テーブル２５に書換られる。
【００７２】
なお、各文書のページ数は、後述するイメージ生成処理により生成されたイメージの数により確定するものとする。このため、上記文書管理テーブル２５では、図８に示すように、状態が「更新」となっている各文書のページ数が空欄となっている。したがって、状態が「更新」から「完了」に変更された文書については、図９に示すように、後述するイメージ生成処理により生成されたイメージの数がページ数として記憶される。
【００７３】
次に、上記色管理テーブル２６について説明する。
【００７４】
図１０は、色管理テーブル２６の構成例を示す図である。
【００７５】
上記色管理テーブル２６は、色ＩＤ、色（実際の色を示す情報）、および、フォルダを関連づけているテーブルである。上記のように、上記文書管理テーブル２５では、各文書に対応づけられている色を色ＩＤで示している。従って、各文書が対応する色は、上記文書管理テーブル２５の色ＩＤと上記色管理テーブル２６の色とにより判断される。なお、各文書に対応づけられている色とは、上記文書検索画面４０の文書マップ４２に表示する各文書に対応するバーの色である。
【００７６】
また、上述したように、本実施の形態では、上記文書検索画面４０の文書マップ４２に表示される各文書に対応するバーの色がフォルダごとに設定されるものとしている。従って、上記色管理テーブル２６では、図１０に示すように、各フォルダに対応する色ＩＤと色とを示している。なお、上記文書マップ４２に表示される各文書に対応するバーの色をファイルの拡張子あるいは文書を開くためのアプリケーションごとに設定する場合、上記色管理テーブル２６では、各拡張子あるいはアプリケーションに対応する色ＩＤと色とが記憶される。
【００７７】
次に、上記文書管理装置１における文書管理情報の登録処理について説明する。
【００７８】
図１１は、文書管理装置１における文書管理情報の登録処理を説明するためのフローチャートである。
【００７９】
まず、上記文書管理装置１が起動する場合、つまり、上記文書管理装置１としてのＰＣが文書管理用プログラム２７を起動する場合、上記ＣＰＵ１１は、まず、前回のファイル情報として、上記ＨＤＤ１５内の上記第１のファイル管理テーブル２３を読み出す（ステップＳ１０１）。上記第１のファイル管理テーブル２３を読み出すと、上記ＣＰＵ１１は、現在のファイル情報として、上記ＨＤＤ１５内の上記第２のファイル管理テーブル２４を読み出す（ステップＳ１０２）。
【００８０】
上記第１のファイル管理テーブル２３と上記第２のファイル管理テーブル２４とを読み出すと、上記ＣＰＵ１１は、上記第１のファイル管理テーブル２３に格納されている全てのファイルの管理情報（前回のファイル情報）と上記第２のファイル管理テーブル２４に格納されている全てのファイルの管理情報（現在のファイル情報）との差分を検出する差分ファイルの検出処理を行う（ステップＳ１０３）。この差分ファイルの検出処理により検出された差分ファイルを示す情報は、たとえば、ＲＡＭ１２などに一時的に保存される。
【００８１】
なお、上記ステップ１０３は、内容が更新されたファイル及び新規に追加されたファイルなどの更新されているファイルを検出する検出手段であり、上記文書管理プログラム２７により実現される検出機能である。
【００８２】
上記差分ファイルの検出処理は、前回のファイル情報の作成時から現在の間に、更新されたファイル、あるいは、新規に追加されたファイルを抽出する処理である。なお、アクセス時刻については、本実施の形態では、差分ファイルとして検出する対象としないものとする。
【００８３】
すなわち、前回のファイル情報に存在せずに現在のファイル情報に存在するファイル、つまり、上記第２のファイル管理テーブル２４にのみ存在するファイルは、新規に追加されたファイルであると判断する。
【００８４】
また、現在のファイル情報における更新時刻と前回のファイル情報における更新時刻とが異なるファイル、つまり、上記第１のファイル管理テーブル２３と上記第２のファイル管理テーブル２４とで更新時刻が異なるファイルは、更新されたファイルであると判断する。
【００８５】
なお、現在のファイル情報に存在せずに前回のファイル情報に存在するファイル、つまり、上記第１のファイル管理テーブル２３にのみ存在するファイルは、削除されたファイルであると判断する。
【００８６】
たとえば、図５に示す第１のファイル管理テーブル２３と図６に示す第２のファイル管理テーブル２４とによる差分ファイルの検出処理では、ファイル名が「ｆｉｌｅ８．ｔｘｔ」、「ｆｉｌｅ１０．ｄｏｃ」、「ｆｉｌｅｌ１．ｘｌｓ」の３つのファイルが差分ファイルとして検出される。
【００８７】
この場合、パスが「Ｃ：￥ｆｏｌｄｅｒ２￥ｆｉｌｅ８．ｔｘｔ」のファイル（ファイル名「ｆｉｌｅ８．ｔｘｔ」）は、更新時刻が異なっている。したがって、ファイル名「ｆｉｌｅ８．ｔｘｔ」のファイルは、更新されたファイルであると判断する。
【００８８】
また、パスが「Ｃ：￥ｆｏｌｄｅｒ３￥ｆｉｌｅ１０．ｄｏｃ」のファイル（ファイル名「ｆｉｌｅ１０．ｄｏｃ」）とパスが「Ｃ：￥ｆｏｌｄｅｒ４￥ｆｉｌｅ１１．ｘｌｓ」のファイル（ファイル名「ｆｉｌｅｌ１．ｘｌｓ」とは、第２のファイル管理テーブル２４のみに存在する。従って、ファイル名「ｆｉｌｅ１０．ｄｏｃ」のファイルとファイル名「ｆｉｌｅｌ１．ｘｌｓ」のファイルとは、新規に追加されたファイルであると判断する。
【００８９】
上記のような差分ファイルの検出処理により差分ファイルが検出された場合（ステップＳ１０４、ＹＥＳ）、上記ＣＰＵ１１は、検出された差分ファイルの管理情報を順次読み出す（ステップＳ１０５）。これにより、順次読み出される差分ファイルについては、ファイル選別処理（ステップＳ１１１〜Ｓ１１６）と、上記文書管理テーブル２５の更新処理（ステップＳ１２１〜Ｓ１２７）とを行う。上記ファイル選別処理と文書管理テーブル２５の更新処理とは、上記差分ファイルの検出処理により検出された全ての差分ファイルに対する処理が完了するまで繰り返し実行される。
【００９０】
すなわち、上記差分ファイルの検出処理により検出された差分ファイルがある場合（ステップＳ１０４、ＹＥＳ）、上記ＣＰＵ１１は、上記差分ファイルの検出処理により検出された差分ファイルの管理情報を１つ読み出す（ステップＳ１０５）。１つの差分ファイルを読み出すと、上記ＣＰＵ１１は、当該差分ファイルに対するファイル選別処理を行う。
【００９１】
差分ファイルに対するファイル選別処理において、上記ＣＰＵ１１は、まず、当該差分ファイルの種類を示す情報を取得する（ステップＳ１１１）。当該差分ファイルのファイルの種類を示す情報を取得すると、上記ＣＰＵ１１は、当該差分ファイルが画像データのファイルであるか否かを判断する（ステップＳ１１２）。
【００９２】
なお、上記ステップＳ１１１及びＳ１１２は、更新されていることが検出されたファイルが画像データのファイルであるか否かを判断する判断手段であり、上記文書管理プログラム２７により実現される判断機能である。
【００９３】
この判断により当該差分ファイルが画像データのファイルであると判断した場合（ステップＳ１１２、ＹＥＳ）、上記ＣＰＵ１１は、当該差分ファイルの画像データの表示サイズを取得する（ステップＳ１１３）。当該差分ファイルの画像データの表示サイズを取得すると、上記ＣＰＵ１１は、当該表示サイズが所定のサイズ（基準値）以上であるか否かを判断する（ステップＳ１１４）。上記基準値は、上記設定情報２８として記憶される情報であり、予め設定される値である。この基準値については、後で詳細に説明する。
【００９４】
なお、上記ステップＳ１１３及びＳ１１４は、後述するように、サイズが所定のサイズよりも小さな画像データのファイルを登録対象外であると判断する判断手段であり、上記文書管理プログラム２７により実現される判断機能である。
【００９５】
上記判断により当該差分ファイルの画像データの表示サイズが所定のサイズ以上であると判断した場合（ステップＳ１１４、ＹＥＳ）、上記ＣＰＵ１１は、当該差分ファイルが文書として登録すべきファイル（管理対象とすべき文書のファイル）であると判断する（ステップＳ１１５）。この場合、上記ＣＰＵ１１は、当該差分ファイルを文書として登録するため、ステップＳ１２１へ進む。これにより、当該差分ファイルについて上記文書管理テーブル２５の更新処理が行われる。
【００９６】
また、上記判断により当該差分ファイルの画像データの表示サイズが所定のサイズ以上でないと判断した場合（ステップＳ１１４、ＮＯ）、上記ＣＰＵ１１は、当該差分ファイルが文書として登録すべきでないファイル（登録対象外のファイル）であると判断する（ステップＳ１１６）。この場合、上記ＣＰＵ１１は、当該差分ファイルを文書として登録しないようにするため、当該差分ファイルを処理済みとして上記ステップＳ１０４へ戻る。これにより、当該差分ファイルについては、上記文書管理テーブル２５の更新処理が省略され、次の差分ファイルについての処理を行う。すなわち、所定のサイズよりも小さい表示サイズの画像データの差分ファイルは、文書として文書管理テーブル２５に登録せず、文書として管理対象しないようにすることができる。
【００９７】
上記のようなファイル選別処理により登録対象とされた差分ファイルについては、上記文書管理テーブル２５に文書として登録する処理（文書管理テーブルの更新処理）が行われる。なお、上記ファイル選別処理により登録対象とされた差分ファイルを上記文書管理テーブル２５に文書として登録する処理（ステップＳ１２１〜Ｓ１２７）は、登録手段であり、上記文書管理プログラム２７により実現される登録機能である。
【００９８】
当該差分ファイルに対する文書管理テーブルの更新処理において、上記ＣＰＵ１１は、まず、当該差分ファイルが更新されたファイル（更新時刻が変更されたファイル）であるか、新規に追加するファイルであるかを判断する（ステップＳ１２１）。
【００９９】
この判断により当該差分ファイルが更新されたファイルであると判断した場合（ステップＳ１２１、ＹＥＳ）、上記ＣＰＵ１１は、上記文書管理テーブル２５において当該差分ファイルに対応する文書の管理情報を更新する処理を行う（ステップＳ１２２）。
【０１００】
また、上記判断により当該差分ファイルが更新されたファイルでないと判断した場合、つまり、当該差分ファイルが新規に追加するファイルであると判断した場合（ステップＳ１２１、ＹＥＳ）、上記ＣＰＵ１１は、当該差分ファイルが新規に作成されたフォルダ（新規フォルダ）に記憶されたファイルであるであるか否かを判断する（ステップＳ１２２）。この判断では、当該差分ファイルが記憶されているフォルダが上記色管理テーブル２６により色が管理されているフォルダであるか否かにより新規フォルダであるか否かを判断する。つまり、上記色管理テーブル２６において色が設定されているフォルダは、既存のフォルダであるものと判断する。
【０１０１】
例えば、パスが「Ｃ：￥ｆｏｌｄｅｒ３￥ｆｉｌｅ１０．ｄｏｃ」のファイルについては、図１０に示す色管理テーブルにおいて、「Ｃ：￥ｆｏｌｄｅｒ３」のフォルダには、既に色が割り当てられている。この場合、「Ｃ：￥ｆｏｌｄｅｒ３」のフォルダは、新規フォルダでないと判断する。これに対して、パスが「Ｃ：￥ｆｏｌｄｅｒ４￥ｆｉｌｅ１１．ｘｌｓ」のファイルについては、図１０に示す色管理テーブルにおいて、「Ｃ：￥ｆｏｌｄｅｒ４」のフォルダには、色が割り当てられいない。この場合、「Ｃ：￥ｆｏｌｄｅｒ４」のフォルダは、新規のフォルダであると判断する。
【０１０２】
上記判断により新規フォルダであると判断した場合（ステップＳ１２３、ＹＥＳ）、上記ＣＰＵ１１は、当該新規フォルダに割り当てる色を生成する（ステップＳ１２４）。たとえば、新規フォルダには、他のフォルダに割り当てられていない新しい色を割り当てるものとする。この生成した色には、ユニークな色ＩＤが割り当てられる。当該新規フォルダに割り当てる色を生成すると、上記ＣＰＵ１１は、当該新規フォルダに対する色情報として、新規フォルダに色とその色の色ＩＤとを対応づけた色情報を上記色管理テーブル２６に追加する（ステップＳ１２５）。
【０１０３】
当該差分ファイルが記憶されている新規フォルダに対する色情報を追加すると、上記ＣＰＵ１１は、当該差分ファイルに対応する文書の管理情報を上記文書管理テーブル２５に追加する新規文書の追加処理を行う（ステップＳ１２６）。
【０１０４】
また、上記判断により新規フォルダでないと判断した場合（ステップＳ１２３、ＮＯ）、上記ＣＰＵ１１は、上記色管理テーブル２６により当該ファイルが記憶されているフォルダに割り当てる色ＩＤを取得する（ステップＳ１２７）。この場合、上記ＣＰＵ１１は、当該差分ファイルに対応する文書の管理情報を上記文書管理テーブル２５に追加する新規文書の追加処理を行う（ステップＳ１２６）。
【０１０５】
また、上記ステップＳ１１１及びＳ１１２の新規文書の追加処理では、上記第２のファイル管理テーブル２４と上記色管理テーブル２６とを参照することにより、新たに追加されたファイルに対応する文書の管理情報を生成する。
【０１０６】
たとえば、文書の管理情報における文書時刻には、当該差分ファイルの更新時刻が用いられる。文書の管理情報におけるファイル名には、当該差分ファイルのパスが用いられる。文書の管理情報における文書ＩＤは、既存の文書と識別するため、新たに生成されるユニークな情報が用いられる。文書の管理情報における色ＩＤは、当該差分ファイルが記憶されているフォルダに対応づけられている色の色ＩＤが用いられる。ただし、文書の管理情報におけるページ数は空欄とされ、文書の管理情報における状態が「更新」とされる。これは、後述するイメージ生成処理によって当該ファイルからイメージデータを生成する際に、文書の管理情報におけるページ数を確定させるためである。
【０１０７】
また、上記差分ファイルの検出処理により差分ファイルが検出されなかった場合、あるいは、上記差分ファイルの検出処理により検出した全ての差分ファイルに対する処理が完了した場合（ステップＳ１０４、ＮＯ）、上記ＣＰＵ１１は、今回の起動時のファイル情報として現在の第２のファイル管理テーブル２４に格納されている情報を、上記第１のファイル管理テーブル２３に記憶する（ステップＳ１２８）。従って、上記第１のファイル管理テーブル２３には、当該差分ファイルの検出処理を行った際（今回の起動時）のファイル情報が記憶される。これにより、次回の起動時に、当該第１のファイル管理テーブル２３に格納されている情報が前回のファイル情報として用いられる。
【０１０８】
上記のような文書管理情報の登録処理では、更新されているファイルを検出し、検出したファイルのうち文書として登録すべきファイルを選別し、文書として登録すべきであると判定されたファイルに対する文書の管理情報を上記文書管理テーブル２５に登録するようになっている。これにより、更新されたファイルのうちファイル選別処理により文書として登録すべきであると判断されたファイルのみを上記文書管理テーブルに文書として登録することができる。
【０１０９】
次に、上記ファイル選別処理において、文書として登録すべきファイルと登録対象外とするファイルとの選別基準について説明する。
【０１１０】
上述したように、上記ファイル選別処理では、設定情報２８として設定されている基準値に基づいて文書として登録すべきファイルと、文書として登録しないファイルとを判断している。上記ファイル選別処理では、サイズが所定のサイズ（基準値）以上の画像データのファイルを文書として登録すべきファイルとし、サイズが上記基準値よりも小さい画像データのファイルを文書として登録しないファイルとする。
【０１１１】
たとえば、ＨＴＭＬでは、仕切線、背景の模様、あるいは、レイアウト調整用の透明な画像などの画像が利用されている場合がある。これらの画像は、通常、文書として管理する必要がないデータである。したがって、上記のような不要な画像を文書として登録して管理対象すると、記憶領域が無駄に消費されるだけでなく、ユーザが特定の文書を検索する場合には、文書として登録されている不要な画像がノイズとなるため、検索効率が低下する。
【０１１２】
上記のような、仕切線、背景の模様あるいはレイアウト調整用の画像などの文書としての登録が不要な画像は、ＪＰＥＧなどの一般的な画像データのフォーマットで構成されていることが多い。従って、ファイルのフォーマットだけで、当該ファイルが文書として登録する必要があるか否かを判断することは困難である。
【０１１３】
しかし、上記のような文書としての登録が不要な画像は、それぞれがサイズの小さい画像データであるという特徴がある。従って、本文書管理装置１では、サイズが所定のサイズよりも小さい画像データのファイルを文書としての登録が不要なファイルであると判断する。これにより、たとえば、ＨＴＭＬ中の部品として利用されているようなサイズが小さい画像データのファイルを文書として登録しないようにすることができる。
【０１１４】
本実施の形態において、ファイルを文書として登録するか否かを判断するための基準値は、画像データの表示サイズに対する基準を示すものとする。これにより、所定の基準値として設定されている表示サイズよりも表示サイズが小さい画像データのファイルは文書として登録しないようにするできる。
【０１１５】
なお、上記基準値は、画像データのファイルのデータ量（データのサイズ）に対する基準であっても良い。この場合、上記ファイル選別処理では、データのサイズが基準値以上の画像データのファイルを文書として登録すべきファイルとし、サイズが上記基準値よりも小さい画像データのファイルを文書として登録しないファイルとする。
【０１１６】
また、上記基準値は、種々の形態で設定することが可能である。
【０１１７】
たとえば、上記基準値としては、画像データの表示サイズにおける縦方向の大きさに対する基準と横方向の大きさに対する基準とを設定することが可能である。
【０１１８】
この場合、ファイル選別処理では、画像データの表示サイズにおける縦方向のサイズと横方向のサイズとを取得し、取得した縦方向のサイズが縦方向のサイズに対する所定の基準値よりも大きく、かつ、取得した横方向のサイズが横方向のサイズに対する所定の基準値よりも大きいか否かを判断する。
【０１１９】
この判断により画像データの表示サイズにおける縦方向のサイズと横方向のサイズとが共に基準値以上である判断した場合、ファイル選別処理では、当該画像データのファイルを文書として登録すると判断する。また、上記判断により画像データの表示サイズにおける縦方向のサイズあるいは横方向のサイズがそれぞれの基準値よりも小さいと判断した場合、ファイル選別処理では、当該画像データのファイルを文書としては登録しないと判断する。
【０１２０】
たとえば、縦方向及び横方向の基準値をそれぞれ１００ピクセル（１００ピクセル×１００ピクセル）と設定した場合、ファイル選別処理では、縦方向の表示サイズあるいは横方向の表示サイズが１００ピクセルよりも小さい画像データのファイルは文書として登録しないものとする。
【０１２１】
また、表示サイズに対する縦方向の基準値及び横方向の基準値として設定される値は、当該文書管理装置の使用目的あるいは使用状況に応じて適宜設定されるものである。たとえば、ＨＴＭＬで使用されている各種の部品の画像を排除したい場合には、一般的なＨＴＭＬで使用されている各種の部品の一般的な表示サイズの大きさなどに基づいて設定される。
【０１２２】
また、上記基準値としては、画像データの表示サイズの面積に対する基準を設定するようにしても良い。
【０１２３】
この場合、ファイル選別処理では、画像データの表示サイズの面積を算出し、算出した面積が基準値以上であるか否かを判断する。この判断により画像データの表示サイズの面積が基準値以上である判断した場合、ファイル選別処理では、当該画像データのファイルを文書として登録すると判断する。また、上記判断により画像データの表示サイズの面積が基準値よりも小さいと判断した場合、ファイル選別処理では、当該画像データのファイルを文書としては登録しないと判断する。
【０１２４】
また、上記基準値は、縦方向のサイズと横方向のサイズとの比率（縦横比）に対する基準を設定するようにしても良い。
【０１２５】
たとえば、仕切線の画像は、縦方向のサイズあるいは横方向のサイズの何れか一方のサイズが小さく、他方のサイズが大きい。従って、縦方向のサイズと横方向のサイズとが大きく異なる画像は、仕切線の画像であると判断することが可能である。言い換えると、基準値として、仕切線の画像か否かを判断するための縦横比（（縦方向のサイズ）／（横方向のサイズ））の範囲を設定しておくことが可能である。
【０１２６】
この場合、上記ファイル選別処理では、縦横比が基準値としての所定の範囲内である画像データのファイルは登録すべきファイルであると判断し、縦横比が基準値としての所定の範囲外である画像データのファイルは、登録対象外のファイルであると判断する。これにより、縦方向のサイズと横方向のサイズとが大きく異なる画像データのファイルは、登録対象外とすることが可能となる。
【０１２７】
さらには、上記のような、縦方向のサイズ、横方向のサイズ、表示サイズの面積、および、縦方向のサイズと横方向のサイズとの比率（縦横比）などに対する種々の基準値を組み合わせて、ファイルを選別するための基準を設定するようにしても良い。たとえば、表示サイズの面積に対する基準値と縦横比に対する基準値とを設定しておき、面積が大きくても縦方向のサイズと横方向のサイズとが極端に異なる画像データのファイルは登録対象外とすることが可能である。
【０１２８】
また、上記のように、ＨＴＭＬでは、レイアウト調整用の画像が利用されている場合がある。このようなレイアウト調整用の画像は、たとえば、透明な１ピクセルなどの微小な表示サイズの画像データで構成され、人間には視認できないようになっている。このレイアウト調整用の画像のような人間が視認できない画像は、文書として登録すべき画像ではない。従って、基準値として、人間が視認できる限界の表示サイズを設定しておき、人間が視認できるサイズの画像データのファイルは登録対象し、人間が視認できないサイズの画像データのファイルは登録対象外とすることが可能である。
【０１２９】
実際には、一般的なＨＴＭＬでは、レイアウト調整用の１ピクセルの画像が多様されていることが多い。このため、基準値としては、１ピクセルの表示サイズの画像データを登録対象外とし、２ピクセル以上の表示サイズの画像データを登録対象とするような値を設定するようにしても良い。これにより、レイアウト調整用の１ピクセルの画像を文書として登録しないようにできる。
【０１３０】
次に、文書のイメージ生成処理について説明する。
【０１３１】
上記文書管理情報の登録処理では、上記文書管理テーブル２５に更新されたファイルおよび新規登録されたファイルに対応する文書の管理情報が「更新」状態として登録される。このような「更新」の状態のファイルは、文書として表示する画像（表示用のイメージ）が生成されていないことを示している。このため、「状態」が「更新」となっている文書については、表示用のイメージを生成する必要がある。本実施の形態では、このような文書の表示用のイメージを生成する処理をイメージ生成処理と呼ぶこととする。
【０１３２】
図１２は、文書管理装置１におけるイメージ生成処理を説明するためのフローチャートである。
【０１３３】
すなわち、上記ような文書管理情報の登録処理が完了すると、上記ＣＰＵ１１は、表示用のイメージを生成するイメージ生成処理を行う。上記イメージ生成処理が起動すると、ＣＰＵ１１は、上記文書管理テーブル２５から全ての文書の管理情報を読込む（ステップＳ２０１）。上記文書管理テーブル２５から文書の管理情報を読込むと、上記ＣＰＵ１１は、各文書の管理情報における文書時刻に基づいて全ての文書の管理情報を整列する（ステップＳ２０２）。これにより、上記文書管理テーブル２５は、全ての文書の管理情報が文書時刻順（時系列順）に並び替えられた状態となる。例えば、図８に示す例では、最新の３つの文書が「更新」の状態となっている。
【０１３４】
上記文書管理テーブル２５における文書の管理情報を文書時刻に基づいて整列させると、上記ＣＰＵ１１は、イメージ生成処理が施されていない文書（未処理の文書）が存在するか否かを判断する（ステップＳ２０３）。この判断により未処理の文書が存在すると判断すると、上記ＣＰＵ１１は、未処理の文書の管理情報を１文書ごとに読み出す（ステップＳ２０４）。
【０１３５】
未処理の１つの文書の管理情報を読み出すと、上記ＣＰＵ１１は、読み出した文書の管理情報における「状態」が「更新」であるか否かを判断する（ステップＳ２０５）。この判断により「状態」が「更新」であると判断した場合（ステップＳ２０５、ＹＥＳ）、上記ＣＰＵ１１は、当該文書の表示用のイメージを生成する処理を行う（ステップＳ２０６）。
【０１３６】
なお、このイメージ生成処理において、当該文書の表示用のイメージとしては、文書を構成する各ページのビットマップイメージを生成するものとする。また、本実施の形態では、当該文書の表示用のイメージデータは、プリント用のイメージデータとして作成されるものとする。各文書のデータは、テキストデータ、あるいは、画像データなどの種々の形式のデータで形成される。
【０１３７】
上記文書管理装置１では、種々の形成のデータからなる文書を管理対象する。このため、上記文書管理装置１では、文書を構成する各ページのデータをそれぞれプリント用のイメージデータとして生成する。通常、種々のアプリケーションプログラムで使用される種々の形式のデータは、当該アプリケーションプログラムにおいてプリント用のイメージが作成されるようになっている。例えば、文書がテキストデータである場合、当該文書の表示用のイメージは、たとえば、ワードプロセッサのアプリケーションプログラムによりプリント用のイメージとして生成される。
【０１３８】
このようなイメージ生成処理により表示用のイメージデータを生成すると、上記ＣＰＵ１１は、当該文書を構成する各ページの画像（各ページの表示用のイメージデータ）を、それぞれイメージデータのファイルとしてＨＤＤ１５に保存する（ステップＳ２０７）。これにより、当該文書のページ数分のイメージデータのファイルがＨＤＤ１５に保存される。当該文書の各ページのイメージデータのファイルをＨＤＤ１５に保存すると、上記ＣＰＵ１１は、上記文書管理テーブル２５の当該文書の管理情報とおける「状態」を「完了」に変更する（ステップ２０８）。さらに、上記ＣＰＵ１１は、イメージデータとして生成したファイル数からページ数を特定し、文書管理テーブル２５における当該文書の管理情報としてページ数を設定する（ステップＳ２０９）。
【０１３９】
また、上記未処理の文書がなった場合、つまり、上記文書管理テーブル２５における全ての文書の「状態」が「完了」となった場合（ステップＳ２０３、ＮＯ）、上記ＣＰＵ１１は、イメージ生成処理を終了する。
【０１４０】
上記のように、本実施の形態では、各文書の表示用のイメージデータは、当該文書の各ページごとに１ファイルとして生成されるものとする。また、各文書の表示用のイメージデータは、どのような形式でも良い。たとえば、表示用のイメージデータは、たとえば、ＪＰＥＧ形式が用いられる。
【０１４１】
ただし、各ページのイメージとしての表示用のイメージデータの各ファイルは、文書ＩＤとページ番号からファイル名が特定できるものとする。たとえば、表示用のイメージデータのファイルは、それぞれ「文書ＩＤ−ページ番号.jpg」というファイル名で保存されるものとする。
【０１４２】
例えば、図８に示す文書管理テーブル２５において「Ｃ：￥ｆｏｌｄｅｒ４￥ｆｉｌｅ１１．ｘｌｓ」の文書が３ページの画像により構成されるものとする。この場合、「Ｃ：￥ｆｏｌｄｅｒ４￥ｆｉｌｅ１１．ｘｌｓ」文書についての表示用のイメージ生成処理では、３ページの表示用のイメージデータ（３つのＪＰＥＧ形式の画像データのファイル）が生成される。
【０１４３】
また、「Ｃ：￥ｆｏｌｄｅｒ４￥ｆｉｌｅ１１．ｘｌｓ」の文書は、図８に示すように、文書ＩＤが「１０１１」である。このため、「Ｃ：￥ｆｏｌｄｅｒ４￥ｆｉｌｅ１１．ｘｌｓ」の文書の表示用のイメージデータとしては、「１０１１−００１．ｊｐｇ」、「１０１１−００２．ｊｐｇ」、および、「１０１１−００３．ｊｐｇ」というファイル名の３つのファイルが生成される。
【０１４４】
この場合、図８に示す文書管理テーブル２５における文書ＩＤが「１０１１」の文書の管理情報は、図９に示すように、「状態」が「完了」、「ページ数」が「３」に設定される。なお、図９は、図８に示す状態の文書管理テーブル２５に対する上記イメージ生成処理が完了した場合の文書管理テーブル２５の例を表すものである。
【０１４５】
なお、上記イメージ生成処理は、他の処理と並行して実行するようにしても良い。つまり、上記イメージ生成処理は、他の処理のバックグラウンドで実行するようにしても良い。たとえば、「状態」が「更新」となっている文書が多い場合、あるいは、「状態」が「更新」となっている文書のページ数が多い場合、上記イメージ生成処理は、処理に時間がかかる可能性がある。したがって、上記イメージ生成処理の実行中であっても、上記ＣＰＵ１１は、後述するような文書検索画面４０の表示処理などを行うようにするようにしても良い。
【０１４６】
次に、上記文書検索画面（文書検索用の表示ウインドウ）４０を表示する際の表示処理について説明する。
【０１４７】
図１３は、上記文書検索画面４０の表示処理を説明するためのフローチャートである。
【０１４８】
まず、上記文書検索画面４０を表示（起動）する場合、上記ＣＰＵ１１は、まず、文書管理テーブル２５に格納されている全ての文書の管理情報を読込む（ステップＳ３０１）。上記文書管理テーブル２５に格納されている全ての文書の管理情報を読込むと、上記ＣＰＵ１１は、読み込んだ全ての文書の管理情報を文書時刻の新しい順（時系列順）に整列させる（ステップＳ３０２）。
【０１４９】
全ての文書の管理情報を時系列順に整列させると、上記ＣＰＵ１１は、たとえば、上記ＲＡＭ１２上に現在表示している文書を示す情報を格納する現在文書（表示文書）の格納領域を確保する。現在文書の格納領域を確保すると、上記ＣＰＵ１１は、現在文書の格納領域に最も新しい文書を示す情報を設定する（ステップＳ３０３）。ここで、上記現在文書の格納領域には、現在文書を示す情報として、上記文書管理テーブル２５において文書の管理情報として格納されている「順序」が設定されるものとする。言い換えると、上記ＣＰＵ１１は、各文書に与えられた「順序」により、現在表示している文書（現在文書）を示すようになっている。
【０１５０】
さらに、上記ＣＰＵ１１は、たとえば、上記ＲＡＭ１２上に現在表示している文書のページ数を示す情報を格納する現在ページ（表示ページ）の格納領域を確保する。現在ページの格納領域を確保すると、上記ＣＰＵ１１は、現在ページの格納領域に文書の代表ページ（本実施の形態では１ページ目）を示す情報を設定する（ステップＳ３０４）。ここで、上記現在ページの格納領域には、現在ページを示す情報としてページ数が設定されるものとする。
【０１５１】
すなわち、上記ＣＰＵ１１は、初期表示の画像として、最も新しい文書の代表ページ（１ページ目）を表示する。このため、上記ＣＰＵ１１は、現在文書を「１」と設定し、現在ページを「１」と設定する。現在文書を「１」と設定し、かつ、現在ページを「１」と設定すると、上記ＣＰＵ１１は、当該ページ（順序が「１」の文書における「１」ページ目の画像）の表示用のイメージデータのファイルを取得する（ステップＳ３０５）。
【０１５２】
このイメージの取得処理では、上記文書管理テーブル２５を参照して表示すべきページのイメージデータのファイルが特定される。すなわち、上記ＣＰＵ１１は、上記文書管理テーブル２５を参照することにより、現在文書として設定されている「順序」（この場合は「１」）に対応する文書ＩＤを取得する。現在文書の文書ＩＤを取得すると、上記ＣＰＵ１１は、現在ページとして設定されている「ページ番号」（この場合は「１」）により現在文書の文書ＩＤと当該ページ番号とからなるイメージデータのファイルを特定する。
【０１５３】
たとえば、図９に示す文書管理テーブル２５の例では、「順序」が「１」の文書ＩＤは「１０１１」である。この場合、上記文書ＩＤ「１０１１」の１ページ目のイメージファイルは、「１０１１−００１．ｊｐｇ」という名前で保存されている。従って、現在文書が「１」で、現在ページが「１」に設定されている場合、上記ＣＰＵ１１は、図９に示す文書管理テーブル２５を参照すると、「１０１１−００１．ｊｐｇ」をイメージデータのファイルとして特定する。
【０１５４】
上記のようなイメージ取得処理によりイメージデータのファイルを取得すると、上記ＣＰＵ１１は、当該ファイルのイメージデータを上記文書検索画面４０の画像表示領域４１に表示する（ステップＳ３０６）。上記画像表示領域４１に取得したファイルのイメージデータを表示すると、上記ＣＰＵ１１は、全ての文書の順序（本実施の形態では、各文書の文書時刻の順番）に基づいて積み重ねて表示する文書マップ４２を生成する文書マップ生成処理を行う（ステップＳ３０７）。この文書マップ生成処理については、後で詳細に説明する。
【０１５５】
上記文書マップ生成処理により文書マップ４２を生成すると、上記ＣＰＵ１１は、生成した文書マップ４２を上記文書検索画面４０における所定の表示領域に表示する（ステップＳ３０８）。上記文書検索画面４０に文書マップ４２を表示すると、上記ＣＰＵ１１は、当該文書マップ４２における現在文書の位置を特定する（ステップＳ３０９）。現在文書の位置を特定すると、上記ＣＰＵ１１は、上記文書マップ４２上における現在文書の位置を示すポインタ４３を表示する（ステップＳ３１０）。
【０１５６】
上記のような文書検索画面の表示処理により、上記表示器１７には、表示ウインドウに文書検索画面４０としての初期画面が表示される。
【０１５７】
次に、上記文書マップ生成処理について説明する。
【０１５８】
図１４は、文書マップ生成処理を説明するためのフローチャートである。
【０１５９】
上記文書マップ４２の生成処理を開始すると、上記ＣＰＵ１１は、上記文書検索画面４０において文書マップ４２を表示するための表示領域を確保する（ステップＳ４０１）。上記文書マップ４２の表示領域は、予め設定されているものとする。また、上記ステップＳ４０１において、上記ＣＰＵ１１は、確保した文書マップ４２の表示領域を、白色などの初期値としての色で表示するものとする。
【０１６０】
たとえば、上記文書マップ４２の表示領域は、図３に示すように、上記文書検索画面４０の右端の幅２０ピクセル、高さ６４０ピクセルの大きさの領域として設定される。なお、ここでは、文書マップ４２の表示領域は、図３に示すように、座標値（Ｘ，Ｙ）が、（０、０）、（２０、０）、（０、６４０）および（２０、６４０）の４点で示される矩形の領域である場合を想定して説明するものとする。なお、本実施の形態では、図３に示すような文書検索画面において、Ｙ方向を縦方向と定義し、Ｘ方向を横方向と定義するものとする。
【０１６１】
上記文書検索画面４０における文書マップ４２の表示領域を確保すると、上記ＣＰＵ１１は、描画を開始する初期座標値を設定する（ステップＳ４０２）。ここでは、初期座標値は、上記文書マップ４２の表示領域の最上端として、Ｙ座標を「０」（Ｙ＝０）に設定するものとする。
【０１６２】
上記初期座標値を設定すると、上記ＣＰＵ１１は、上記文書管理テーブル２５から「順序」の小さい順に文書の管理情報を読み出す。すなわち、上記ＣＰＵ１１は、当該文書マップ４２の表示領域にバーを描画していない文書（未描画の文書）が上記文書管理テーブル２５に存在するか否かを判断する。この判断により上記文書管理テーブル２５に未描画の文書があると判断した場合（ステップＳ４０３）、上記ＣＰＵ１１は、未描画の文書のうち最も「順序」の小さい文書の管理情報を読み出す（ステップ４０４）。
【０１６３】
文書の管理情報を読み出すと、上記ＣＰＵ１１は、読み出した文書に割り当てられている色ＩＤを特定する（ステップ４０５）。当該文書の色ＩＤを特定すると、上記ＣＰＵ１１は、上記色管理テーブル２６を参照して、当該文書の色ＩＤに対応する実際の色を確定する（ステップＳ４０６）。これにより、確定した色が上記文書マップ４２において当該文書を示すバー（線）を描画する色となる。
【０１６４】
当該文書を示すバーを描画する色を判断すると、上記ＣＰＵ１１は、上記文書マップ４２の表示領域における現在の座標値に、当該文書を示すバー（線）を確定した色で描く（ステップＳ４０７）。ここで、各文書を示すバーは、Ｙ方向に１ピクセル分の幅（高さ）を有する線であるものとする。この場合、最初の文書については、上記文書マップ４２の表示領域におけるＹの初期座標値（（０、Ｙ）から（２０、Ｙ））に１ピクセル分の幅（高さ）を有するバーを描く。
【０１６５】
当該文書を示すバーを描くと、上記ＣＰＵ１１は、「Ｙ＝Ｙ＋１」とすることにより、Ｙ方向の座標値を１ピクセル分増やす（ステップ４０８）。Ｙ方向の座標値を１ピクセル分増やすと、上記ＣＰＵ１１は、Ｙ方向の座標値が文書マップ４２の表示領域を超えたか否かを判断する。この判断によりＹ方向の座標値が文書マップ４２の表示領域を超えたと判断した場合（ステップＳ４０９、ＹＥＳ）、上記ＣＰＵ１１は、文書マップ４２の生成処理を終了する。
【０１６６】
また、上記判断によりＹ方向の座標値の表示領域が超えていないと判断した場合（ステップＳ４０９、ＮＯ）、上記ＣＰＵ１１は、上記ステップＳ４０３に戻る。これにより、上記ＣＰＵ１１は、文書マップ４２の表示領域に未描画の文書がなくなるまで、上記ステップＳ４０３〜Ｓ４０９を繰り返し実行する。すなわち、上記ステップＳ４０３〜Ｓ４０９の処理は、上記文書管理テーブル２５により管理されている全ての文書について繰り返し実行される。
【０１６７】
上記のような処理により、上記文書管理テーブル２５により管理されている各文書の「順序」（各文書の文書時刻などに基づく「順序」）で、各文書に対応する色で表示される各文書を示すバーが文書検索画面４０における縦方向（Ｙ方向）に積み重ねて表示される文書マップ４２が生成される。
【０１６８】
次に、文書検索処理について説明する。
【０１６９】
図１５、図１６及び図１７は、文書検索処理を説明するためのフローチャートである。
【０１７０】
まず、上述した文書検索画面の表示処理により、上記表示器１７には、最も文書時刻が新しい文書の１ページ目の画像を表示した文書検索画面４０を表示しているものとする（ステップＳ５０１）。
【０１７１】
この状態において、上記ＣＰＵ１１は、上記マウス１９あるいは上記キーボード２１による利用者からの入力を待つ（ステップＳ５０２）。この状態において、上記ＣＰＵ１１は、上記マウス１９あるいは上記キーボード２１への入力の有無を検知している。また、上記マウス１９のホイール３４への入力は、所定時間内におけるホイール３４の回転量が変動量として入力される。上記キーボード２１の各キーあるいは上記マウス１９の左右ボタン３２、３３への入力は、どのキーが入力されたかが検知される。
【０１７２】
上記マウス１９あるいは上記キーボード２１への入力を検知すると（ステップＳ５０２、ＹＥＳ）、上記ＣＰＵ１１は、入力された指示内容が終了の指示であるか否かを判断する（ステップＳ５０３）。この判断により入力された指示内容が終了の指示であると判断した場合（ステップＳ５０３、ＹＥＳ）、上記ＣＰＵ１１は、上記文書検索画面４０を消し、処理を終了する。
【０１７３】
また、上記判断により入力された指示内容が終了の指示でないと判断した場合（ステップＳ５０３、ＮＯ）、上記ＣＰＵ１１は、入力された指示内容が上記マウス１９のホイール３４への入力であったか否かを判断する（ステップＳ５０４）。
【０１７４】
上記マウス１９のホイール３４への入力でないと判断した場合（ステップＳ５０４、ＹＥＳ）、上記ＣＰＵ１１は、右への移動を指示する右キーへの入力であるか（ステップＳ５１０）、左への移動を指示する左キーへの入力であるか（ステップＳ５１４）、下への移動を指示する下キーへの入力であるか（ステップＳ５２０）、上への移動を指示する上キーへの入力であるかを判断する（ステップＳ５２５）。なお、右キー、左キー、下キー及び上キー以外のキー入力であれば、上記ＣＰＵ１１は、上記ステップＳ５０２へ戻り、再び入力待ちの状態となる。
【０１７５】
すなわち、入力が右キーであると判断した場合（ステップＳ５１０、ＹＥＳ）、上記ＣＰＵ１１は、現在ページを１つ増やし、「現在ページ＝現在ページ＋１」とする（ステップＳ５１１）。この場合、上記ＣＰＵ１１は、文書管理テーブル２５から現在文書のページ数を取得し、上記ステップＳ５１１で設定した現在ページが現在文書のページ数を越えていないかを確認する（ステップＳ５１２）。上記ステップＳ５１１で設定した現在ページが現在文書のページ数を超えていると判断した場合、上記ＣＰＵ１１は、現在ページを現在文書のページ数、つまり、現在文書の最終ページとする（ステップＳ５１３）。
【０１７６】
また、入力が左キーであると判断した場合（ステップＳ５１４、ＹＥＳ）、上記ＣＰＵ１１は、現在ページを１つ減らし、「現在ページ＝現在ページ−１」とする（ステップＳ５１５）。この場合、上記ＣＰＵ１１は、表示しようとしている現在ページが「０」となっていないかを確認する（ステップＳ５１６）。上記ステップＳ５１５で設定した現在ページが「０」となっていると判断した場合、上記ＣＰＵ１１は、現在ページを「１」、つまり、現在文書の最初のページとする（ステップＳ５１７）。
【０１７７】
上記ステップＳ５１０〜Ｓ５１７により現在ページを変更すると、上記ＣＰＵ１１は、上記文書管理テーブル２５における「順序」と「文書ＩＤ」との対応関係により、現在文書の文書ＩＤを取得する。現在文書の文書ＩＤを取得すると、上記ＣＰＵ１１は、現在文書の文書ＩＤと現在ページとにより、当該ページのイメージのファイルを取得する（ステップＳ５１８）。当該ページのイメージのファイルを取得すると、上記ＣＰＵ１１は、上記文書検索画面４０の画像表示領域４１に当該ページのイメージを表示する（ステップＳ５１９）。
【０１７８】
また、入力が下キーであると判断した場合（ステップＳ５２０、ＹＥＳ）、上記ＣＰＵ１１は、現在文書を１つ増やし、「現在文書＝現在文書＋１」とする（ステップＳ５２１）。この場合、上記ＣＰＵ１１は、文書管理テーブル２５から最大順序（最も文書時刻が古い文書の「順序」）を取得し、上記ステップＳ５２１で設定した現在文書が最大順序を越えていないかを確認する（ステップＳ５２２）。ここで、上記ステップＳ５２１で設定した現在文書が最大順序を超えていると判断した場合、上記ＣＰＵ１１は、現在文書を最大順序、つまり、現在文書を最も文書時刻が古い文書とする（ステップＳ５２３）。
【０１７９】
また、入力が上キーであると判断した場合（ステップＳ５２４、ＹＥＳ）、上記ＣＰＵ１１は、現在文書を１つ減らし、「現在文書＝現在文書−１」とする（ステップＳ５２５）。この場合、上記ＣＰＵ１１は、上記ステップＳ５２５で設定した現在文書が「０」となっているか否かを確認する（ステップＳ５２６）。上記ステップＳ５２５で設定した現在文書が「０」となったと判断した場合、上記ＣＰＵ１１は、現在文書を「１」、つまり、現在文書を文書時刻が最新の文書とする（ステップＳ５２７）。
【０１８０】
上記ステップＳ５２０〜Ｓ５２７により現在文書を変更すると、上記ＣＰＵ１１は、現在ページを各文書の代表ページとしての「１」に設定する（ステップＳ５１９）。これにより現在文書と現在ページとが設定されると、上記ＣＰＵ１１は、上記文書管理テーブル２５における「順序」と「文書ＩＤ」との対応関係により、現在文書の文書ＩＤを取得する。現在文書の文書ＩＤを取得すると、上記ＣＰＵ１１は、現在文書の文書ＩＤと現在ページとにより、当該ページのイメージのファイルを取得する（ステップＳ５２９）。当該ページのイメージのファイルを取得すると、上記ＣＰＵ１１は、上記文書検索画面４０の画像表示領域４１に当該ページのイメージを表示する（ステップＳ５３０）。
【０１８１】
また、上記ステップＳ５２０〜Ｓ５２７により現在文書を変更した場合、上記ＣＰＵ１１は、当該文書検索画面４０の文書マップ４２における現在文書の位置を特定する（ステップＳ５３１）。現在文書の位置を特定すると、上記ＣＰＵ１１は、上記文書マップ４２における現在文書の位置を示すポインタ４３を表示する（ステップＳ５３２）。つまり、上記ステップＳ５３２において、上記ＣＰＵ１１は、上記文書検索画面４０におけるポインタ４３の位置を上記ステップＳ５３１で特定した文書マップ４２における現在文書を示す位置に変更する。
【０１８２】
なお、上記ステップＳ５２８〜Ｓ５３０の処理と上記ステップＳ５３１及びＳ５３２の処理とは、並行して行うようにしても良い。
【０１８３】
また、上記判断によりマウス１９のホイール３４への入力があったと判断した場合（ステップＳ５０４、ＹＥＳ）、上記ＣＰＵ１１は、上記マウス１９のホイール３４の回転量に応じた文書検索処理を行う。
【０１８４】
すなわち、上記判断によりマウス１９のホイール３４への入力があったと判断した場合（ステップＳ５０４、ＹＥＳ）、上記ＣＰＵ１１は、所定時間内の上記ホイール３４の回転量を変動量として取得する（ステップＳ５４０）。上記ホイール３４の回転量は、上記マウスドライバ１８により検出される。上記マウスドライバ１８により検出されたホイールの回転量は、上記ＣＰＵ１１へ通知される。これにより、上記ＣＰＵ１１では、所定時間内のホイール３４の回転量を変動量として取得するようになっている。
【０１８５】
上記のような変動量を取得すると、上記ＣＰＵ１１は、取得した変動量を文書移動量に変換する（ステップＳ５４１）。上記文書移動量は、移動文書数と移動方向（ホイールの回転方向）とを示すものとする。上記移動文書数とは、表示を切り換える文書の数（移動すべき文書の数）を示すものである。上記移動方向とは、ホイールの回転方向に対応し、文書を移動させる方向を示すものである。
【０１８６】
本実施の形態では、移動方向は、文書移動量の正負で表されるものとする。すなわち、ホイール３４を正方向に回転させた場合、「文書移動量＝＋（移動文書数）」とし、文書移動量は、正の値とする。このように文書移動量が正の値の場合、文書が「順序」の順に切り換えられることを示すものとする。また、ホイール３４を逆方向に回転させた場合、「文書移動量＝−（移動文書数）」とし、文書移動量は負の値とする。このように文書移動量が負の値の場合、文書が「順序」の逆の順に切り換えられることを示すものとする。
【０１８７】
たとえば、ユーザが上記ホイール３４を正方向に回転させた場合、上記文書移動量は、正の値となり、文書が「順序」の順に切り換えられることを示すものとする。また、ユーザが上記ホイール３４を逆方向に回転させた場合、上記文書移動量は、負の値となり、文書が「順序」の逆の順序で切り換えられることを示すものとする。
【０１８８】
また、上記マウス１９のホイール３４の回転量と上記ＣＰＵ１１が取得する変動量と関係は、予め設定情報により設定されているものである。また、上記ＣＰＵ１１が取得する変動量と文書移動量との関係も、設定情報により設定されているものとする。これらの設定情報は、ユーザが任意の値に変更できるようにしても良い。
【０１８９】
たとえば、上記マウス１９のホイール３４の１回転に対する変動量が「２８８０」とする。この場合、変動量が「１」に対して移動文書数を「１」とすると、ホイール３４の１回転に対して２８８０の文書が移動する。このような設定では、上記画像表示領域４１に表示される文書の移動量がおおき過ぎる。このため、たとえば、変動量が「１２０」に対して移動文書数を「１」と設定すれば、ホイール３４の１回転で上記画像表示領域４１に表示される文書が２４文書分移動するように設定される。
【０１９０】
また、マウス１９のホイール３４には、所定間隔、つまり、一定の回転量ごとに、ひっかかりのあるものがある。このようなホイール３４を有するマウス１９を用いた文書管理装置１では、ホイール３４の回転に伴うひっかかりの間隔ごとに１文書を切り替えるようにしても良い。これは、ひっかかりの起こるホイール３４の回転量に応じた変動量に対して移動文書数を「１」に設定することにより実現できる。この場合、ホイール３４を操作するユーザが、ひっかかりの感覚を感じるごとに１文書が切り換わるようにすることができる。
【０１９１】
上記ホイール３４に入力された回転量に基づく変動量を文書移動量に変換すると（ステップＳ５４１）、上記ＣＰＵ１１は、現在文書を文書移動量分だけ移動させた文書（「現在文書＝現在文書＋文書移動量」）に設定する（ステップＳ５４２）。この場合、上記ＣＰＵ１１は、上記ステップＳ５４２で設定した現在文書が「０」以下となっていないかを確認する（ステップＳ５４３）。上記ステップＳ５４２で設定した現在文書が「０」以下となっていると判断した場合（ステップＳ５４３、ＹＥＳ）、上記ＣＰＵ１１は、現在文書を「１」、つまり、現在文書を文書時刻が最新の文書とする（ステップＳ５４４）。
【０１９２】
また、上記ステップＳ５４２で設定した現在文書が「０」以下となっていないと判断した場合（ステップＳ５４３、ＮＯ）、上記ＣＰＵ１１は、さらに、文書管理テーブル２５から最大順序（最も文書時刻が古い文書の「順序」）を取得し、上記ステップＳ５４２で設定した現在文書が最大順序を越えていないかを確認する（ステップＳ５４５）。ここで、上記ステップＳ５４２で設定した現在文書が最大順序を超えていると判断した場合（ステップＳ５４５、ＹＥＳ）、上記ＣＰＵ１１は、現在文書を最大順序、つまり、現在文書を最も文書時刻が古い文書とする（ステップＳ５４６）。
【０１９３】
上記ステップＳ５４０〜Ｓ５４６により現在文書を変更すると、上記ＣＰＵ１１は、現在ページを各文書の代表ページとしての「１」に設定する（ステップＳ５４７）。これにより現在文書と現在ページとが設定されると、上記ＣＰＵ１１は、上記文書管理テーブル２５における「順序」と「文書ＩＤ」との対応関係により、現在文書の文書ＩＤを取得する。現在文書の文書ＩＤを取得すると、上記ＣＰＵ１１は、現在文書の文書ＩＤと現在ページとにより、当該ページのイメージのファイルを取得する（ステップＳ５４８）。当該ページのイメージのファイルを取得すると、上記ＣＰＵ１１は、上記文書検索画面４０の画像表示領域４１に当該ページのイメージを表示する（ステップＳ５４９）。
【０１９４】
また、上記ステップＳ５４０〜Ｓ５４６により現在文書を変更した場合、上記ＣＰＵ１１は、当該文書検索画面４０の文書マップ４２における現在文書の位置を特定する（ステップＳ５５０）。現在文書の位置を特定すると、上記ＣＰＵ１１は、上記文書マップ４２における現在文書の位置を示すポインタ４３を表示する（ステップＳ５５１）。つまり、上記ステップＳ５５１において、上記ＣＰＵ１１は、上記文書検索画面４０におけるポインタ４３の位置を上記ステップＳ５５０で特定した文書マップ４２における現在文書を示す位置に変更する。
【０１９５】
なお、上記ステップＳ５４７〜Ｓ５４９の処理と上記ステップＳ５５０及びＳ５５１の処理とは、並行して行うようにしても良い。
【０１９６】
上記のように、図１５、図１６及び図１７に示す処理では、ユーザが入力したマウス１９のホイール３４の回転量に応じた変動量を文書移動量に変換し、文書移動量に応じて時系列順に整列された文書を切り換え、文書移動量に応じて切り換えた文書の画像を表示器に表示する。これにより、マウス１９のホイール３４を回転させて、１ページ目の画像を表示する文書を効率良く切り換えることができる。この結果、ユーザは、当該文書管理装置１で管理している文書を効率よく検索することができ、所望の文書を容易に見つけることができる。
【０１９７】
上記のように、本実施の形態の文書管理装置は、ファイルを文書として管理するものであり、内容が更新されたファイルまたは新たに追加されたファイルを検出し、検出したファイルのうち画像データのファイルについてはサイズが所定のサイズ以上であるか否かを判断し、この判断によりサイズが所定のサイズよりも小さい画像データのファイルは文書としての管理対象外とするため登録対象外とし、サイズが所定のサイズ以上であると判断された画像データのファイルは文書として管理するため登録する。
【０１９８】
これにより、文書として登録する必要がないようなサイズが小さな画像を文書として登録しないようにすることができる。この結果、記憶領域を無駄にすることなく、文書として管理されているファイルの効率的な検索が可能となる。
【０１９９】
なお、上述した実施の形態では、前後に回転するマウスのホイールの回転量に応じた変動量を文書移動量に変換するものについて説明した。しかし、上記実施の形態は、マウスのホイールに限定されるものではない。つまり、表示画面における文書マップの時間軸に対応する方向の変動量を入力できるものは、上述した実施の形態におけるマウスのホイールの代わりに用いることができる。たとえば、トラックボールあるいはタッチパットなどのポインティングデバイスは、上記マウスのホイールの代わりとして本実施の形態に適用することが可能である。
【０２００】
さらに、写真は、通常、縦の大きさと横の大きさとの比率が３：４なので、縦横比を０．７５で限定すれば、主に写真が取れることになる。
【０２０１】
また、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。また、このように予めインストールやダウンロードにより得る機能は装置内部のＯＳ（オペレーティング・システム）等と協働してその機能を実現させるものであってもよい。
【図面の簡単な説明】
【０２０２】
【図１】この発明の実施の形態に係る文書管理装置の構成例を概略的に示すブロック図である。
【図２】マウスの構成例を示す図である。
【図３】文書管理装置の表示器に表示する文書検索画面（文書の表示画面）の表示例を示す図である。
【図４】文書管理装置で管理する文書と画像表示領域に表示する画像との関係を示す図である。
【図５】第１のファイル管理テーブルの構成例を示す図である。
【図６】第２のファイル管理テーブルの構成例を示す図である。
【図７】文書管理テーブルの構成例を示す図である。
【図８】文書管理テーブルの構成例を示す図である。
【図９】文書管理テーブルの構成例を示す図である。
【図１０】色管理テーブルの構成例を示す図である。
【図１１】文書管理装置における文書管理情報の登録処理（ファイル選別処理および文書管理テーブルの更新処理）を説明するためのフローチャートである。
【図１２】文書管理装置におけるイメージ生成処理を説明するためのフローチャートである。
【図１３】文書管理装置における文書検索画面の表示処理を説明するためのフローチャートである。
【図１４】文書管理装置における文書マップ生成処理を説明するためのフローチャートである。
【図１５】文書管理装置における文書検索処理を説明するためのフローチャートである。
【図１６】文書管理装置における文書検索処理を説明するためのフローチャートである。
【図１７】文書管理装置における文書検索処理を説明するためのフローチャートである。
【符号の説明】
【０２０３】
１…文書管理装置、２…文書入出力装置、１１…ＣＰＵ、１２…ＲＡＭ、１３…ＲＯＭ、１４…入出力インターフェース、１５…ハードディスクドライブ、１６…表示器ドライバ、１７…表示器、１８…マウスドライバ、１９…マウス、２０…キーボードインターフェース、２１…キーボード、２３…第１のファイル管理テーブル、２４…第２のファイル管理テーブル、２５…文書管理テーブル、２６…色管理テーブル、２７…文書管理プログラム、２８…設定情報、３１…動作検知機構、３２…右ボタン、３３…左ボタン、３４…ホイール、４０…文書検索画面、４１…画像表示領域、４２…文書マップ、４３…ポインタ
【図１】
2006252510.tif 000003
【図２】
2006252510.tif 000004
【図３】
2006252510.tif 000005
【図４】
2006252510.tif 000006
【図５】
2006252510.tif 000007
【図６】
2006252510.tif 000008
【図７】
2006252510.tif 000009
【図８】
2006252510.tif 000010
【図９】
2006252510.tif 000011
【図１０】
2006252510.tif 000012
【図１１】
2006252510.tif 000013
【図１２】
2006252510.tif 000014
【図１３】
2006252510.tif 000015
【図１４】
2006252510.tif 000016
【図１５】
2006252510.tif 000017
【図１６】
2006252510.tif 000018
【図１７】
2006252510.tif 000019